(57)【要約】【課題】軒先の換気口から小屋裏換気を行う建物の小屋裏への雨水や粉雪、塩分などの浸入を防止する水返しシートを用いた軒裏防水構造を提供する。【解決手段】水返しシートを用いた軒裏構造１では、水返しシート２の一方の端部が外壁８に固定され、もう一方の端部が屋根１２の垂木９に固定されており、軒下の換気口１４ａ及び垂木９間を通じて、建物外部と小屋裏が連通し、小屋裏換気が行われる、軒下の換気口１４ａから侵入した雨水や粉雪、塩分などは、水返しシート２によって小屋裏への侵入を阻まれるとよい。また、建物が、外壁材４の背面に縦材５を介して板状断熱材６が設けられ、板状断熱材６の背面に外壁フレーム７を有する板状断熱材６と外壁材４との間に上下方向の通気用空間部を有する外張り通気外壁構造からなり、水返しシート２の一方の端部が、板状断熱材６と外壁フレーム７間若しくは縦材５と板状断熱材６間に狭持されているとよい。【選択図】  図１
2010229632.tif 000002
【特許請求の範囲】
【請求項１】
軒下より、小屋裏へ外気を取り込むまたは／及び小屋裏の空気を建物外部へ排出する小屋裏換気を行う建物に用いられ、軒下の換気口からの水の浸入を防ぐ水返しシートを用いた軒裏防水構造であって、
水返しシートの一方の端部が外壁に固定され、もう一方の端部が屋根の垂木に固定され、
軒下の換気口及び垂木間を通じて、建物外部と小屋裏が連通し、小屋裏換気が行われ、
換気口から入った水が水返しシートにより、小屋裏への侵入が阻止される水返しシートを用いた軒裏構造。
【請求項２】
前記建物は、外壁材の背面に縦材を介して板状断熱材が設けられ、該板状断熱材の背面に外壁フレームを有する板状断熱材と外壁材との間に上下方向の通気用空間部を有する外張り通気外壁構造からなり、
前記水返しシートの一方の端部が、該板状断熱材と該外壁フレーム間若しくは該縦材と該板状断熱材間に狭持されている請求項１に記載の水返しシートを用いた軒裏構造。
【請求項３】
前記水返しシートが熱膨張性シートからなる請求項１乃至２に記載の水返しシートを用いた軒裏構造。
【請求項４】
前記水返しシートが不燃性シートからなる請求項１乃至２に記載の水返しシートを用いた軒裏構造。
【発明の詳細な説明】
【技術分野】
【０００１】
本発明は、軒下より、小屋裏へ外気を取り込むまたは／及び小屋裏の空気を建物外部へ排出する小屋裏換気を行う建物に用いられ、軒下の換気口からの水の浸入を防ぐ水返しシートを用いた軒裏防水構造に関する。
【背景技術】
【０００２】
建物の小屋裏を換気するため、妻面に換気ガラリや軒下に換気口を設け、妻面の換気ガラリのみで小屋裏換気を行ったり、軒下の換気口だけで、小屋裏換気を行ったり、軒下の換気口から空気を取り入れ、妻面の換気ガラリから空気を排出したりするなど、さまざまな小屋裏換気が提案されている。
【先行技術文献】
【特許文献】
【０００３】
【特許文献１】特開２００８−１５６８９７号公報
【発明の概要】
【発明が解決しようとする課題】
【０００４】
しかし、軒下の換気口を通じた小屋裏換気では、小屋裏換気の換気量を十分なものとするために、軒下の換気口の開口形状が決定されるが、軒下の換気口から、雨水や粉雪、さらに沿岸部では、塩分を含んだ水しぶきや雨水などが浸入してしまうことがあった。
【０００５】
軒下の換気口から小屋裏に侵入した雨水や粉雪、塩分などが、小屋裏へ侵入し、小屋裏を濡らすことによる部材の腐食や、塩分の付着による鋼材の腐食の原因となり、建物の劣化の原因となっている。
【０００６】
本発明は、以上のような問題点に鑑み、軒先の換気口から小屋裏換気を行う建物の小屋裏への雨水や粉雪、塩分などの浸入を防止する水返しシートを用いた軒裏防水構造を提供することを課題とする。
【課題を解決するための手段】
【０００７】
上記の課題は、軒下より、小屋裏へ外気を取り込むまたは／及び小屋裏の空気を建物外部へ排出する小屋裏換気を行う建物に用いられ、軒下の換気口からの水の浸入を防ぐ水返しシートを用いた軒裏防水構造であって、
水返しシートの一方の端部が外壁に固定され、もう一方の端部が屋根の垂木に固定され、
軒下の換気口及び垂木間を通じて、建物外部と小屋裏が連通し、小屋裏換気が行われ、
換気口から入った水が水返しシートにより、小屋裏への侵入が阻止される水返しシートを用いた軒裏構造により解決される。
【０００８】
この水返しシートを用いた軒裏構造では、水返しシートの一方の端部が外壁に固定され、もう一方の端部が屋根の垂木に固定されており、軒下の換気口及び垂木間を通じて、建物外部と小屋裏が連通し、小屋裏換気が行われるため、軒下の換気口から侵入した雨水や粉雪、塩分などは、水返しシートによって小屋裏への侵入を阻まれ、雨水や粉雪、塩分などの小屋裏への侵入が防止され、小屋裏へ侵入し小屋裏を濡らすことによる部材の腐食や、塩分の付着による鋼材の腐食といった問題を解決することができる。  
【０００９】
また、水返しシートを軒裏内に取り付けるだけで実現できるので、建物の外観に影響を与えることなく、コスト的にも有利に実現することができる。
【００１０】
上記水返しシートを用いた軒裏構造において、前記建物は、外壁材の背面に縦材を介して板状断熱材が設けられ、該板状断熱材の背面に外壁フレームを有する板状断熱材と外壁材との間に上下方向の通気用空間部を有する外張り通気外壁構造からなり、
前記水返しシートの一方の端部が、該板状断熱材と該外壁フレーム間若しくは該縦材と該板状断熱材間に狭持されているとよい。
【００１１】
水返しシートの一方の端部が、該板状断熱材と該外壁フレーム間に狭持されるので、水返しシートの一方の端部を固定するために、特別な固定方法を用いることなく、水返しシートを狭持することができる。また、外壁材の背面に縦材を介して板状断熱材が設けられ、該板状断熱材の背面に外壁フレームを有する板状断熱材と外壁材との間に上下方向の通気用空間部を有する外張り通気外壁構造において、板状断熱材と外壁フレームの間若しくは該縦材と該板状断熱材間にシートを介在させる場合には、該シートの端部を延長させることで、該シートが水返しシートとして機能するので、別途水返しシートを用意する必要がなく、水返しシートを設置することができる。
【００１２】
上記水返しシートを用いた軒裏構造において、水返しシートが、熱膨張性シートもしくは不燃性シートからなるとよい。
【００１３】
水返しシートが熱膨張性シートもしくは不燃性シートであることで、火災時に軒先から小屋裏への火熱の侵入を防止することができ、雨水や粉雪、塩分などの侵入だけでなく、火熱の侵入を防止することで、建物の防耐火性能の向上も図ることができる。
【発明の効果】
【００１４】
本発明は以上のとおりであるから、軒先の換気口から小屋裏換気を行う建物の小屋裏への雨水や粉雪、塩分の浸入を防止する水返しシートを用いた軒裏防水構造を提供することができる。
【図面の簡単な説明】
【００１５】
【図１】図（イ）は、本発明の実施形態である水返しシートを用いた軒裏構造を示す断面側面図であり、図（ロ）は、図（イ）のＸ−Ｘ線断面図である。
【図２】本発明の第２実施形態を示す断面側面図である。
【図３】図（イ）、（ロ）はそれぞれ、本発明の他の実施例の示す断面側面図である。
【発明を実施するための形態】
【００１６】
次に、本発明の実施形態を図面に基づいて説明する。
【００１７】
図１に示す本発明の実施形態である水返しシートを用いた軒裏防水構造１において、２は不燃性シートからなる水返しシート、８は外壁、１２は屋根、１３は軒天面材、１４は軒天面材固定金物、１５は破風下地、１６は破風、１７は広小舞、１８は軒先水切り、１９は樋である。
【００１８】
外壁８は、外壁材４の背面に縦材５を介して板状断熱材６が設けられ、板状断熱材６の背面に外壁フレーム７を有し、外壁材４と板状断熱材６との間に上下方向の通気用空間部を有する外張り通気外壁構造をしており、通気用空間部で上下方向の空気の流れが形成される。
【００１９】
屋根１２は、棟から軒先方向に向かう長尺の垂木９が、棟から軒先方向とは直行する方向に、間隔をあけて平行に配設され、垂木９上に板状の野地板１０が設けられ、図示しない防水シートを介して、屋根材１１が設けられている。屋根材は例えば、スレートや瓦等からなる。
【００２０】
軒天面材１３は、一方の端部を破風下地１５に固定され、もう一方の端部を外壁８の表面に固定された軒天面材固定金物１４に固定される。軒天面材固定金物１４は、軒天面材１３を支持するとともに、換気口１４ａを有する。本軒先構造においては、軒天面材固定金物１４により、外部からの換気を行う。
【００２１】
図１（イ）に示すように、水切りシート２は、一方の端部が外壁８の板状断熱材６と外壁フレーム７に狭持され、もう一方の端部は外壁８の上端から上方へ張り伸ばされ、棟から軒先方向に向かって間隔をあけて平行に配設される垂木９の下端面９ａに沿って、軒先側に折り返され、垂木９の下端面９ａに締結材３で固定される。締結材として、プレートを介してビスで固定してもよいし、Ｕ字型釘で固定してもよい。
【００２２】
図１（ロ）に示すように、間隔をあけて平行に配設される垂木９‥と、野地板１０と、水返しシート２で囲まれた空隙Ａが、軒先から小屋裏への空気の通り道となり、軒先の換気口から取り込んだ外気を小屋裏へ導くとともに、軒先から排気する換気方法では、小屋裏の空気が空隙Ａを介して外部へ排気される。
【００２３】
上記のように、軒先の換気口から取り込まれた空気は小屋裏へと導かれるが、軒下の換気口から侵入した雨水や粉雪、塩分などは、水返しシート２によって小屋裏への侵入が阻まれ、雨水や粉雪、塩分などが垂木９‥と、野地板１０と、水返しシート２で囲まれた空隙Ａを通って、小屋裏へ侵入することが防止される。
【００２４】
水返しシート２のもう一方の端部が、外壁８の上端から上方へ張り伸ばされ、棟から軒先方向に向かって間隔をあけて平行に配設される垂木９の下端面９ａに沿って、軒先側に折り返されているので、間隔をあけて平行に配設される垂木９‥と、野地板１０と、水返しシート２で囲まれた空隙Ａの長さを十分に確保されているため、軒下の換気口から侵入した雨水や粉雪、塩分などが、水返しシート２により妨げられることなく空隙Ａに達しても、空隙Ａの長さが長いため、空隙Ａ間を進むうちに、侵入した雨水や粉雪、塩分などを小屋裏へと導く空気の流れが弱まり、侵入した雨水や粉雪、塩分などが小屋裏へ到達するのを防止することができる。
【００２５】
また、水返しシート２が不燃性シートからなるため、火災時に軒先から小屋裏への火熱の侵入を防止することができ、雨水や粉雪、塩分などの侵入だけでなく、火熱の侵入を防止することで、建物の防耐火性能の向上も図ることができる。特に、軒下の換気口から侵入した雨水や粉雪、塩分などの小屋裏への侵入防止と、建物の防耐火性能の向上を、不燃性シートからなる水返しシートを軒裏に取り付けるだけで実現することができるため、建物の外観に影響を与えることなく、コスト的にも有利に実現することができる。
【００２６】
図２に示す本発明の第２実施形態の水返しシートを用いた軒裏防水構造では、水返しシート２の一方の端部が外壁８の外壁材４の表面に固定される。水返しシートのもう一方の端部は外壁８の上端から上方へ張り伸ばさず、垂木９‥に向かって斜め方向に張り伸ばされ、棟から軒先方向に向かって間隔をあけて平行に配設される垂木９の下端面９ａに沿って、軒先側に折り返され、垂木９の下端面９ａに固定される。よって、水返しシート２の使用量を減らして、水返しシートを用いた軒裏防水構造を実現することができる。
【００２７】
また、水返しシート２の一方の端部を外壁８の外壁材４の表面に固定しているので、外壁８を取り付けたあと、現場で水返しシート２を固定することができるので、外壁８の外壁８の板状断熱材６と外壁フレーム７に狭持される場合と異なり、水切りシート２を外壁８に予め狭持しておく必要がない。特に建物が外壁パネルにより構成される場合、外壁パネルの端部から水返しシート２が張り伸ばされることがないので、外壁パネルの運搬時に、水返しシート２が破損したり、引っかかったりすることがない。
【００２８】
以上に、本発明の実施形態を示したが、本発明はこれに限られるものではなく、発明思想を逸脱しない範囲で各種の変更が可能である。例えば、上記の実施形態では、軒先の換気を、外壁面に取り付け、軒天面材を外壁側へ支持する、軒天面材固定金物に設けられた換気口を通じて行う場合について示したが、軒先の換気口の位置は、上記実施例に限定されることはなく、例えば、軒先に設けられる換気ガラリのように軒先の軒先側先端部に設けられた換気口によってもよいし、例えば、有孔ボードからなる軒天面材のように軒天面材に設けられた換気口によってもよい。
【００２９】
また、水返しシートの固定方法についても、上記実施例に限定される必要はなく、図３（イ）に示すように、水返しシート２の一方の端部が外壁８の外壁材４の表面に固定され、水返しシートのもう一方の端部は外壁８の上端から上方へ張り伸ばさず、垂木９‥に向かって斜め方向に張り伸ばされ、棟から軒先方向に向かって間隔をあけて平行に配設される垂木９の下端面９ａに沿わすことなく、垂木９の下端面９ａに固定してもよい。この場合、間隔をあけて平行に配設される垂木９‥と、野地板１０と、水返しシート２で囲まれた空隙Ａの垂木方向の長さが確保されないが、水返しシート２の固定される高さ位置との兼ね合いで、小屋裏へ侵入する雨水や粉雪、塩分などを十分に防ぐことができる。
【００３０】
さらに、図３（ロ）に示すように、水返しシートを外壁８側から、垂木９側へ向けて、張り伸ばすことなく固定してもよいのはいうまでもない。
【００３１】
さらに、上記の実施形態では、水切りシート２の一方の端部が外壁８の板状断熱材６と外壁フレーム７に狭持されている場合について示したが、図３（ロ）に示すように、水切りシートの一方の端部が縦材と板状断熱材に狭持されていてもよい。
【００３２】
また、水返しシートの材質についても特に制限はなく、例えば、ポリエチレンシート、ポリエチレン不織布、ポリエチレン複合シート、プラスチック製シート、透湿防水シートなど、軒下の換気口から侵入した雨水や粉雪、塩分などの浸入を防止する材質であればよい。また、火災時に軒先から小屋裏への火熱の侵入を防止することも目的とするならば、熱膨張性シートや不燃性シートであればよい。
【符号の説明】
【００３３】
１・・・水返しシートを用いた軒裏防水構造
２・・・水切りシート
３・・・締結材
４・・・外壁材
５・・・縦材
６・・・板状断熱材
７・・・外壁フレーム
８・・・外壁
９・・・垂木
１０・・・野地板
１１・・・屋根材
１２・・・屋根
１３・・・軒天面材
１４・・・軒天面材固定金物
１４ａ・・・換気口
Ａ・・・空隙
【図１】
2010229632.tif 000003
【図２】
2010229632.tif 000004
【図３】
2010229632.tif 000005